(57)【要約】      （修正有）【課題】  バックルまたはユーザが動いているときにもおいても、容易にロックできる二部材バックルを提供することにある。【解決手段】バックルが、前方壁、後方壁、開口頂部、頂部壁と底部壁間の凹所を備えた中空本体と、さらに中空本体を通って延長するとともに凹所と連絡する少なくとも一つのロッキングスロットとを有する雌部を備えている。頂部壁と底部壁が開口頂部と連絡しているカットアウトを有する。ベースと、少なくとも一つのロッキング脚と、中央脚とを有する雄部がある。中央脚が雌部内のカットアウトの形状に対応する形状を有する。中央脚がバックルの重量を減じるメッシュ部を有している。雄部の雌部内の開口頂部への挿入が、中央脚を雌部のカットアウトへの休止をもたらし、ロッキング脚がロッキングスロットと係合して雄部を雌部にロックさせる。【選択図】図１
2005305112.tif 000002
【特許請求の範囲】
【請求項１】
前方壁、後方壁、開口頂部、頂部壁と底部壁間の凹所を備えた中空本体と、さらに中空本体を通って延長するとともに凹所と連絡する少なくとも一つのロッキングスロットとを有する雌部であって、頂部壁と底部壁の少なくとも一つが前記開口頂部と連絡しているカットアウトを有する雌部と；
ベースと、少なくとも一つのロッキング脚と、中央脚とを有する雄部であって、前記中央脚が雌部内の少なくとも一つのカットアウトの形状に対応する形状を有する雄部と、
を備え、雄部の雌部内開口頂部への挿入が、中央脚を雌部のカットアウトへの休止をもたらすとともに、少なくとも一つのロッキング脚が少なくとも一つのロッキングスロットと係合して雄部を雌部にロックさせるバックル。
【請求項２】
雌部内に二つのカットアウトと二つのロッキングスロットがあり、また雄部内に二つのロッキング脚がある請求項１に記載のバックル。
【請求項３】
中央脚がそこから延長する複数のホールを含むメッシュ部を有している請求項１に記載のバックル。
【請求項４】
カットアウトおよび中央脚が、三角形状である請求項１に記載のバックル。
【請求項５】
雄部と雌部の少なくとも一つに配備され、ストラップを前記雄部と雌部の少なくとも一つに連結させるストラップ係止バーをさらに含む請求項１に記載のバックル。
【請求項６】
メッシュ部が中央脚の休止部の厚みよりも薄い厚みを有している請求項３に記載のバックル。
【請求項７】
前記少なくとも一つのロッキング脚の自由端上に配置されたタブがあり、前記タブがロッキングスロットと係合して雄部を雌部にロックさせ、またタブを押圧して雄部を雌部から解放する請求項１に記載のバックル。
【請求項８】
メッシュ部が中央脚に一体形成されている請求項３に記載のバックル。
【発明の詳細な説明】
【技術分野】
【０００１】
本発明は二つのストラップを結合するのに適した２部材バックルに関する。より詳しく説明すると、本発明は側部解放式バックルであって、その雌部が雄部上の拡張中央突起部に係合させるための大きいカットアウトを有しているバックルに関する。
【背景技術】
【０００２】
一般的な側部開放バックルは、中空凹所を有する雌部と、雌部に挿入される三つの突起部を有する雄部を備える。二つの外部突起部が雌部上のロッキングタブを通って延長し二つの部材を共に固定する。このタイプのバックルの一例は、アンシャーによる米国意匠特許第Ｄ４０２，９１９号に開示されている。
【０００３】
一般的なバックルにおいて、雌部は硬い側壁を有しこれら側壁間に雄部を受承している。このタイプは雄部が雌部内に完全にストレートに挿入され、両部材が係合される必要がある。両部材のいずれかの傾斜が、雄部の雌部への挿入を阻止する。この構成は、ユーザおよび／またはバックルが動いている状況において、バックルのロッキングを困難にする。
【０００４】
米国特許願第１０／７１３，３１１号に開示されたメッシュまたはスクリーンの形成された部分を有するバックルをここでは参照例として一体化する。スクリーン部は、その強度および耐久性を低下させることなくバックルの重量を減じるとともに、その外観の一部を形成する。
【特許文献１】米国意匠特許第Ｄ４０２，９１９号
【特許文献２】米国特許願第１０／７１３，３１１号
【発明の開示】
【発明が解決しようとする課題】
【０００５】
従って、本発明の目的はバックルまたはユーザが動いているときにおいても、容易にロックできる二部材バックルを提供することにある。
【０００６】
本発明の別の目的は、軽量、かつ、美学上に見て美しいバックルを提供することにある。
【０００７】
本発明のさらに別の目的は、製造上簡単、かつ、安価であるバックルを提供することにある。
【課題を解決するための手段】
【０００８】
本発明のこれらの目的および他の目的は、前方壁、後方壁、開口頂部、頂部壁と底部壁間の凹所を備えた中空本体と、さらに中空本体を通って延長するとともに凹所と連絡する少なくとも一つのロッキングスロットとを有する雌部を備えているバックルによって達成される。頂部壁と底部壁が開口頂部と連絡しているカットアウトを有する。ベースと、少なくとも一つのロッキング脚と、中央脚とを有する雄部がある。中央脚が雌部内のカットアウトの形状に対応する形状を有する。雄部の雌部内の開口頂部への挿入が、中央脚を雌部のカットアウトへの休止をもたらし、ロッキング脚がロッキングスロットと係合して雄部を雌部にロックさせる。
【０００９】
好ましい実施例において、雌部内に二つのカットアウトと二つのロッキングスロットがあり、また雄部内に二つのロッキング脚がある。
【００１０】
中央脚はそこから延長する複数のホールを含む薄いメッシュ部を有し、スクリーン状外観を生成しているのが好ましい。このメッシュ部は、その強度および耐久性を低下させることなく、バックルの重量を減じ、またバックルに好ましい外観を与える。メッシュ部の厚みは、雄部にある中央脚残部の厚みの半分よりも薄いのが好ましい。
【００１１】
好ましい実施例において、カットアウトおよび中央脚は三角形状をなしている。この構成は雄部が最初完全にストレートでない場合においても、雄部の雌部への容易な挿入を許容する。雄部は雌部に向かってわずかに曲がることができるが、中央脚の傾斜している三角形の辺と一致するカットアウトが、適切な位置で雄部と一直線をなすように作用する。この特徴は、バックルがロックされている間に動く状況において特に有効である。この構成は、バックルがバックパックまたは衣類で磨耗される場合に特に重要である。これは着用者が、雄部の正確な位置を容易に達成されない操作にしばしば時間を要するからである。
【００１２】
雄部および雌部の少なくとも一つに配備されたストラップ係止バーがあり、ストラップを前記雄部および雌部の少なくとも一つへの連結を許容することが好ましい。
【００１３】
ロッキングスロットと係合して雄部を雌部にロックするために、ロッキング脚の自由端上に配備されたタブがあるのが好ましく、タブを押圧して雄部を雌部から解放する。
【００１４】
本発明の他の目的および特徴は、添付図面に関連して考慮された次の詳細な説明から明白となろう。しかし、図面は図形としてのみ描かれており、本発明の限定を規定するものではないことを理解されるべきである。
【００１５】
図中、同様の参照符号は全図を通して同様の要素を示す。
【００１６】
ここで図を詳細に参照する。図１から５は本発明に基づくバックル１０を示す。バックル１０は、雄部２０と雌部３０を含む。雄部２０はベース２１、ストラップ係止バー２２，２３、解放タブ２６，２７を備えたロッキング脚２５および中央脚２８を有する。中央脚２８はベース２１に固定されたその一端で広くなっており、またその自由端の一点にテーパが付けられている。従って、中央脚２８の側面は傾斜しており、完全に一致されない場合においてさえも中央脚２８が雌部３０に容易に挿入される。中央脚２８は、メッシュまたはスクリーン２９の形成された中央部を有する。スクリーン２９は、中央脚２８に一体的にモールドされ、かつ、図５に示したように中央脚２８の外部エッジよりもずっと薄い厚みになっている。これによってバックルの重量が軽くなるが、メッシュはバックルの強度と耐久性が損なわれないような形態である。
【００１７】
雌部３０は主要本体３１、ストラップ係止バー３２、ロッキングスロット３３および雄部２０を受承するＶ−形状カットアウト３４を有する。雄部２０が雌部３０に挿入されると、解放タブ２６，２７がロッキングスロット３３に入って雄部２０を雌部３０にロックする。これと同時に、中央脚２８が雌部３０のＶ−形状カットアウト３４間に摺動して嵌合する。中央脚２８の自由端において、突起部２１１を有するフット構造２１０がある。フット構造２１０は、雌部３０の遠端に延長する開口３６に嵌まり、雄部２０を雌部３０にさらに固定する。
【００１８】
中央脚２８の形状のために、バックル１０は軽量であり、ユーザが動いている場合においてさえも、確実、かつ、容易に操作される。
【００１９】
従って、本発明の単一の実施例のみを示して説明したが、本発明の精神および範囲から逸脱せずに、多数の変形および修正が可能であることは明白である。
【図面の簡単な説明】
【００２０】
【図１】解放位置にあるバックルの好ましい実施例の斜視図である。
【図２】図１の実施例の平面図である。
【図３】ロック位置にある図１の実施例の斜視図である。
【図４】ロック位置にある図１の実施例の平面図である。
【図５】図２の線Ｖ−Ｖに沿った雄部の断面図である。
【符号の説明】
【００２１】
１０  バックル
２０  雄部
２１  ベース
２２，２３，３２  ストラップ係止バー
２５  ロッキング脚
２６，２７  解放タブ
２８  中央脚
２９  メッシュ、スクリーン
３０  雌部
３１  主要本体
３３  ロッキングスロット
３４  Ｖ−字状カットアウト
２１０  フット構造
２１１  突起部
【図１】
2005305112.tif 000003
【図２】
2005305112.tif 000004
【図３】
2005305112.tif 000005
【図４】
2005305112.tif 000006
【図５】
2005305112.tif 000007